(57)【要約】【課題】手乾燥装置の乾燥室の手挿入部の底部周辺は、吹き飛び散った水が付着しやすい箇所に嵌合部が設けられているので、嵌合部に水垢や汚れがたまりやすく、美観がそこなわれるとともに清掃が困難であった。【解決手段】乾燥室１底部の水受け部５は２部品により構成され、そのうち少なくとも１部品を取り外しできる構成とすることにより、手を乾燥する際、飛び散った水が付着して汚れがついてきた水受け部５は、少なくとも一方が取り外せるので、清掃が容易になり、水受け部５の美観を保つことができる。【選択図】図１
2008200474.tif 000002
【特許請求の範囲】
【請求項１】
外部に向かって開口した挿入口から手を抜き差しできる乾燥室と、前記乾燥室の底部の水受け部に向けて空気を送出するノズルと、前記ノズルから空気を送出するファンモータとを備えた手乾燥装置であって、前記水受け部は２部品により構成され、そのうち少なくとも１部品を取り外しできる構成としたことを特徴とする手乾燥装置。
【請求項２】
水受け部に、排水を促すよう高低差を形成し、その最低部に排水口を設けたことを特徴とする請求項１に記載の手乾燥装置。
【請求項３】
水受け部は２部品を嵌合して構成され、その嵌合部が隙間を形成し排水口となることを特徴とする請求項１または２に記載の手乾燥装置。
【請求項４】
水受け部に、排水を促すよう排水口に通じる溝を設けたことを特徴とする請求項１〜３のいずれかに記載の手乾燥装置。
【請求項５】
水受け部に、排水を促すようドレン容器への排水のガイドを設けたことを特徴とする請求項１〜４のいずれかに記載の手乾燥装置。
【請求項６】
水受け部の２部品を嵌合する嵌合線が、正面側に現れない構成としたことを特徴とする請求項１〜５のいずれかに記載の手乾燥装置。
【請求項７】
水受け部の２部品の材質が同じ樹脂材料であることを特徴とする請求項１〜６のいずれかに記載の手乾燥装置。
【請求項８】
水受け部の取り外しする部品に排水する水を貯留するドレン容器を設けたことを特徴とする請求項１〜５のいずれかに記載の手乾燥装置。
【請求項９】
水受け部は、水受け底部と水受けかえり部とからなる２部品により構成されることを特徴とする請求項８記載の手乾燥装置。
【請求項１０】
水受け底部と水受けかえり部は、これらの側面にてはめ込み構造あるいは爪構造によって係止される構成としたことを特徴とする請求項９記載の手乾燥装置。
【請求項１１】
水受けかえり部を取り外しする部品とし、ドレン容器は、正面視、水受けかえり部によって覆われるように前記水受けかえり部の後方に一体的に配設されることを特徴とする請求項９または１０に記載の手乾燥装置。
【請求項１２】
ドレン容器と水受けかえり部とを着脱自在に係合する構成とし、この係合部を前記ドレン容器と前記水受けかえり部の側面より内方に設けたことを特徴とする請求項１１に記載の手乾燥装置。
【請求項１３】
ドレン容器の下面に凹部を設け、この凹部が水受け低部とその下部で係合する構成としたことを特徴とする請求項１１に記載の手乾燥装置。
【請求項１４】
ドレン容器を形成する側壁のうち、前方側の側壁の高さを他の側壁の高さより高くしたことを特徴とする請求項１１に記載の手乾燥装置。
【請求項１５】
ドレン容器を水受けかえり部に装着した状態で、前記水受けかえり部が前記ドレン容器の前方側上方を覆う構成としたことを特徴とする請求項１１に記載の手乾燥装置。
【請求項１６】
ドレン容器の底面に貯留水を下方に排水する筒部を上方に向けて突設し、前記筒部の上端面を前方側が高くなるように傾斜させたことを特徴とする請求項１１に記載の手乾燥装置。
【請求項１７】
水受けかえり部の正面側を構成する水受け前面部にドレン容器の貯留水水位を視認させる開口窓を設けたことを特徴とする請求項１１〜１６のいずれかに記載の手乾燥装置。
【請求項１８】
ドレン容器に形成する水位表示部を突出させて設け、前記突出した水位表示部を水受け前面部の開口窓に嵌合させて、前記ドレン容器を水受けかえり部に装着する構成としたことを特徴とする請求項１７に記載の手乾燥装置。
【請求項１９】
突出させて設ける水位表示部をドレン容器と一体成形したことを特徴とする請求項１８に記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
洗浄後の濡れた手を乾燥させる装置として、高速空気流により手に付着した水滴を吹き飛ばし乾燥させる手乾燥装置が知られている（例えば、特許文献１参照）。
【０００３】
以下、その手乾燥装置を図１７を参照しながら説明する。
【０００４】
正面に手挿入口１０１を有する外装ケース１０２に組み込まれた高圧空気流発生装置１０３からの高速空気流はノズル１０４から噴出され、手に付着した水滴を吹き飛ばし、吹き飛ばされた水滴は水受け部１０５に付着する。水受け部１０５は、接合部１０６を有する容易に着脱できない２つの構成からなる部品Ａ１０７、部品Ｂ１０８で構成されている。
【特許文献１】特開２００１−２１２０２６号公報
【発明の開示】
【発明が解決しようとする課題】
【０００５】
このような従来の手乾燥装置では、手挿入口１０１の底部周辺は、水滴の吹き飛びを防ぐ立ち上がり部とその底部に水受け部１０５、手挿入口１０１は奥行きの深いＪ形状や袋状に形成されている。これを一体成形で構成することは金型上困難であり、大幅なコスト増になるため、手挿入口１０１の底部と水受け部１０５と分割して形成し、それを嵌合して一体に構成しているが、吹き飛び散った水滴が付着しやすい箇所に嵌合部が設けられているので、嵌合部に水垢や汚れがたまりやすく、美観がそこなわれるとともに清掃が困難であったという課題がある。
【０００６】
本発明は、このような従来の課題を解決するものであり、水受け部の清掃がしやすく、水受け部の美観を保つことができる手乾燥装置を提供することを目的とする。
【課題を解決するための手段】
【０００７】
本発明の手乾燥装置は上記目的を達成するために、外部に向かって開口した挿入口から手を抜き差しできる乾燥室と、前記乾燥室の底部の水受け部に向けて空気を送出するノズルと、前記ノズルから空気を送出するファンモータとを備えた手乾燥装置であって、前記水受け部は２部品により構成され、そのうち少なくとも１部品を取り外しできる構成としたものである。
【０００８】
また、他の手段は、水受け部に、排水を促すよう高低差を形成し、その最低部に排水口を設けたものである。
【０００９】
また、他の手段は、水受け部は２部品を嵌合して構成され、その嵌合部が隙間を形成し排水口となるものである。
【００１０】
また、他の手段は、水受け部に、排水を促すよう排水口に通じる溝を設けたものである。
【００１１】
また、他の手段は、水受け部に、排水を促すようドレン容器への排水のガイドを設けたものである。
【００１２】
また、他の手段は、水受け部の２部品を嵌合する嵌合線が、正面側に現れない構成としたものである。
【００１３】
また、他の手段は、水受け部の２部品の材質が同じ樹脂材料であることである。
【００１４】
また、他の手段は、水受け部の取り外しする部品に排水する水を貯留するドレン容器を設けたものである。
【００１５】
また、他の手段は、水受け部は、水受け底部と水受けかえり部とからなる２部品により構成されるものである。
【００１６】
また、他の手段は、水受け底部と水受けかえり部は、これらの側面にてはめ込み構造あるいは爪構造によって係止される構成としたものである。
【００１７】
また、他の手段は、水受けかえり部を取り外しする部品とし、ドレン容器は、正面視、水受けかえり部によって覆われるように前記水受けかえり部の後方に一体的に配設されるものである。
【００１８】
また、他の手段は、ドレン容器と水受けかえり部とを着脱自在に係合する構成とし、この係合部を前記ドレン容器と前記水受けかえり部の側面より内方に設けたものである。
【００１９】
また、他の手段は、ドレン容器の下面に凹部を設け、この凹部が水受け低部とその下部で係合する構成としたものである。
【００２０】
また、他の手段は、ドレン容器を形成する側壁のうち、前方側の側壁の高さを他の側壁の高さより高くしたものである。
【００２１】
また、他の手段は、ドレン容器を水受けかえり部に装着した状態で、前記水受けかえり部が前記ドレン容器の前方側上方を覆う構成としたものである。
【００２２】
また、他の手段は、ドレン容器の底面に貯留水を下方に排水する筒部を上方に向けて突設し、前記筒部の上端面を前方側が高くなるように傾斜させたものである。
【００２３】
また、他の手段は、水受けかえり部の正面側を構成する水受け前面部にドレン容器の貯留水水位を視認させる開口窓を設けたものである。
【００２４】
また、他の手段は、ドレン容器に形成する水位表示部を突出させて設け、前記突出した水位表示部を水受け前面部の開口窓に嵌合させて、前記ドレン容器を水受けかえり部に装着する構成としたものである。
【００２５】
また、他の手段は、突出させて設ける水位表示部をドレン容器と一体成形したものである。
【発明の効果】
【００２６】
本発明によれば、前記水受け部が２部品により構成され、そのうち少なくとも１部品を取り外しできる構成としたことにより、水受け部の清掃が容易になり、水受け部の美観を保つことができるという効果のある手乾燥装置を提供することができる。
【００２７】
また、水受け部の取り外しする部品に排水する水を貯留するドレン容器を設けたことにより、ドレン容器の貯留水を廃棄するときに、併せて水受け部の清掃ができ、水受け部の美観を保つことができる。
【００２８】
また、ドレン容器は、正面視、水受けかえり部によって覆われるように前記水受けかえり部の後方に一体的に配設されることにより、手乾燥装置を使用する正面側に立った場合、ドレン容器は水かえり部に覆われて見えず、水受け部の外観上の美観も優れた手乾燥装置を提供することができる。
【００２９】
また、水受けかえり部の正面側を構成する水受け前面部にドレン容器の貯留水位を視認させる開口窓を設けたことにより、貯留水の廃棄の注意を喚起し、水受け部の清掃の時期を遅らせてしまうことがないようにして、水受け部の美観を確実に保つことができる。
【発明を実施するための最良の形態】
【００３０】
本発明の請求項１に記載の手乾燥装置は、水受け部は２部品により構成され、そのうち少なくとも１部品を取り外しできる構成としたものであり、手を乾燥する際、飛び散った水が付着して汚れがついてきた水受け部は、少なくとも一方が取り外せるので、清掃が容易になる。
【００３１】
また、請求項２に記載の手乾燥装置は、水受け部に、排水を促すよう高低差を形成し、その最低部に排水口を設けたものであり、手を乾燥する際、飛び散って水受け部に付着した水は、ノズルから噴出される空気により最低部の排水口に誘導され、ドレン容器にスムーズに貯留される。
【００３２】
また、請求項３に記載の手乾燥装置は、水受け部は２部品を嵌合して構成され、その嵌合部が隙間を形成し排水口となるものであり、水受け部に付着した水が２部品の嵌合部の隙間に誘導されてドレン容器にスムーズに貯留され、また、ドレン容器への排水口を別個に設ける必要がなくなる。
【００３３】
また、請求項４に記載の手乾燥装置は、水受け部に、排水を促すよう排水口に通じる溝を設けたものであり、水受け部に付着した水が溝に流れ込んで排水口に誘導され、ドレン容器にスムーズに貯留される。
【００３４】
また、請求項５に記載の手乾燥装置は、水受け部に、排水を促すようドレン容器への排水のガイドを設けたものであり、水受け部に付着した水が排水のガイドに沿って誘導され、ドレン容器にスムーズに貯留される。
【００３５】
また、請求項６に記載の手乾燥装置は、水受け部の２部品を嵌合する嵌合線が、正面側に現れない構成としたものであり、手を乾燥するために立つ正面側から見た美観が向上することとなる。
【００３６】
また、請求項７に記載の手乾燥装置は、水受け部の２部品の材質が同じ樹脂材料であるものであり、２部品の成形品は樹脂の収縮率が同じように成形され、嵌合部等の精度が良いので大きな溝ができず、嵌合部に汚れがたまりにくいとともに、清掃がしやすくなる。
【００３７】
また、請求項８に記載の手乾燥装置は、水受け部の取り外しする部品に排水する水を貯留するドレン容器を設けたものであり、ドレン容器の貯留水を廃棄するときに、併せて水受け部の清掃ができることとなる。
【００３８】
また、請求項９に記載の手乾燥装置は、水受け部は、水受け底部と水受けかえり部とからなる２部品により構成されるものであり、手を乾燥する際、飛び散った水は、２部品で構成され容易に取り外せる水受け底部と水受けかえり部に付着し、清掃が容易になる。
【００３９】
また、請求項１０に記載の手乾燥装置は、水受け底部と水受けかえり部は、これらの側面にてはめ込み構造あるいは爪構造によって係止される構成としたものであり、手で容易に取り外しができることとなる。
【００４０】
また、請求項１１に記載の手乾燥装置は、水受けかえり部を取り外しする部品とし、ドレン容器は、正面視、水受けかえり部によって覆われるように前記水受けかえり部の後方に一体的に配設されるものであり、ドレン容器は手を乾燥するために立つ正面側から見えず、水受け部まわりの美観が向上するとともに、ドレン容器の材質を水受け部の色との調和にとらわれずに、ドレン容器として適切な材料色を選択することができる。
【００４１】
また、請求項１２に記載の手乾燥装置は、ドレン容器と水受けかえり部とを着脱自在に係合する構成とし、この係合部を前記ドレン容器と前記水受けかえり部の側面より内方に設けたものであり、ドレン容器と水かえり部との係合部も、正面視、水受けかえり部によって覆われるようになるので、ドレン容器を着脱する構成にしても、水受け部まわりの美観の向上が維持されることとなる。
【００４２】
また、請求項１３に記載の手乾燥装置は、ドレン容器の下面に凹部を設け、この凹部が水受け低部とその下部で係合する構成としたものであり、ノズルから噴出される空気による風圧を受ける方向の底部で係合しているので、水受けかえり部と水受け底部との間に隙間が開くことがなくなる。
【００４３】
また、請求項１４に記載の手乾燥装置は、ドレン容器を形成する側壁のうち、前方側の側壁の高さを他の側壁の高さより高くしたものであり、ドレン容器に貯留した水を廃棄するために持ち運ぶ際、持ち運びやすい安定した状態の手元側を低くした状態にしても、前方側の側壁が高いので水がこぼれにくくなる。
【００４４】
また、請求項１５に記載の手乾燥装置は、ドレン容器を水受けかえり部に装着した状態で、前記水受けかえり部が前記ドレン容器の前方側上方を覆う構成としたものであり、ドレン容器に貯留した水を廃棄するために、持ち運びやすい安定した状態の手元側を低くした状態で運んだ際、多少水が波打っても、水受けかえり部によって水跳ねを抑えることができる。
【００４５】
また、請求項１６に記載の手乾燥装置は、ドレン容器の底面に貯留水を下方に排水する筒部を上方に向けて突設し、前記筒部の上端面を前方側が高くなるように傾斜させたものであり、ドレン容器に貯留した水を廃棄するために持ち運ぶ際、持ち運びやすい安定した状態の手元側を低くした状態にしても、筒部の上端面は前方側が高くなるように傾斜しているので、水がこぼれにくくなる。
【００４６】
また、請求項１７に記載の手乾燥装置は、水受けかえり部の正面側を構成する水受け前面部にドレン容器の貯留水水位を視認させる開口窓を設けたものであり、ドレン容器は水受けかえり部の後方に配設しても、貯留水位を視認させるようにして貯留水の廃棄の注意を喚起し、水受け部の清掃の時期を遅らせてしまうことがないようにして、水受け部の美観を確実に保つことができる。
【００４７】
また、請求項１８に記載の手乾燥装置は、ドレン容器に形成する水位表示部を突出させて設け、前記突出した水位表示部を水受け前面部の開口窓に嵌合させて、前記ドレン容器を水受けかえり部に装着する構成としたものであり、水位表示部と水受け前面部とを面一にすることができるとともに、水位表示部がドレン容器を水受けかえり部に装着するときの位置決めとなって組立構造が安定し、水受けかえり部まわりの美観が向上し、また、水位表示部を突出さて形成させることによりドレン容器の強度が上がることとなる。
【００４８】
また、請求項１９に記載の手乾燥装置は、突出させて設ける水位表示部をドレン容器と一体成形したものであり、ドレン容器を水受けかえり部と同種の色とする必要がないので、水位を表示ための色の材料で一体成形でき、加工工数が低減するとともに、強度が向上することとなる。
【００４９】
以下、本発明の実施の形態について、図面を参照しながら説明する。
【００５０】
（実施の形態１）
図１に示すように、装置本体の下部に乾燥室１を形成し、乾燥室１は、外部に向かって開口し、濡れた手を挿入できるよう凹状の空間を形成している。乾燥室１の上方には、ノズル２が形成されており、装置本体は、本体ケース３に覆われており、内部には高圧空気発生装置４が設置されている。装置本体の背面側に設けられた吸気口６から吸い込まれた空気は、高圧空気流発生装置４に設置されたファンモータ７によって送風されノズル２より乾燥室１に向かって吹出される。吹出された高圧の空気は手に付着した水滴を吹き飛ばし、手を乾燥させる。乾燥室１の底部に形成された水受け部５に排水口９が設けられており、この排水口９の下方には、水滴を貯留するドレン容器１０が着脱自在に設けられている。高圧空気流発生装置４から送られてくる高圧空気はノズル２の手前に設けられたヒーター１１を通過して加熱された後、高圧空気が高速の空気流に変換され、ノズル２から乾燥室１に吹き出す。
【００５１】
そして、図２に示すように、水受け部５は、水受け底部５ａと水受けかえり部５ｂからなる２部品で構成され、水受けかえり部５ｂは、吹き飛ばされた水滴を乾燥室１内方へ返す水受け内面部５ｃと、水受け内面部５ｃと一体に形成された水受け前面部５ｄと水受け側面部５ｅとからなり、水受け側面部５ｅにてはめ込み構造８によって水受け底部５ａと着脱自在に係止される構成としており、工具などを使う必要がなく手で容易に取り外しできる。なお、係止される構成としてはめ込み構造８を示したが、爪構造としても同様の作用効果が得られる。また、水受け部５は、本体ケース３と一体であるが、水受け部５全体を外せる構造としてもよい。
【００５２】
また、水受け部５を構成する２部品の水受け底部５ａと水受けかえり部５ｂの材質を同じ樹脂材料とする。樹脂材料としては、ＡＢＳやＰＰを利用する。
【００５３】
樹脂材料を同一とすることにより、樹脂製の２部品の成形品は、樹脂の収縮率が同じように成形される。
【００５４】
上記構成により、手を乾燥する際、飛び散った水滴は水受け底部５ａと水受けかえり部５ｂからなる２部品で構成された水受け部５に付着し、使用を継続すると汚れが徐々についてくるが、水受けかえり部５ｂを取り外して容易に清掃ができる。
【００５５】
また、同じ材質の樹脂成形品であることにより、その嵌合部の精度が良く、大きな溝ができず、嵌合部の清掃をしやすくすることとなる。また外観に一体感があり見た目に美しくすることができる。
【００５６】
このように本発明の実施の形態１の手乾燥装置によれば、水受け部５の美観を保つことができることとなる。
【００５７】
（実施の形態２）
図３に示すように、水受け部５に、排水口９への排水を促すよう高低差を有した傾斜面１２を形成し、その最低部に排水口９を設けた構成とする。高低差は、水受け部５の奥から手前、さらに中央から左右へ向かってもつけることができる。
【００５８】
上記構成により、手を乾燥する際飛び散った水は２部品で構成された水受け部５に付着し、水受け部５に付着した水は、ノズル２から噴出する空気により最低部の排水口９に誘導され、ドレン容器１０に貯留される。
【００５９】
このように本発明の実施の形態２の手乾燥装置によれば、水受け部５に付着した水はドレン容器１０に誘導され、水受け部５を汚れにくくして美観を保つことができることとなる。
【００６０】
（実施の形態３）
図４に示すように、水受け部５を構成する２部品の水受け底部５ａと水受けかえり部５ｂの嵌合部にドレン容器１０（図示せず）に通じる排水口となる左右方向の隙間１３を形成した構成とする。隙間１３は、正面から乾燥室１を見たときに見えにくい位置、つまり、水受けかえり部５ｂ側に配置することで、汚れやすい部分がさらに目立ちにくくなる。
【００６１】
上記構成により、水受け部５に付着した水は、２部品の嵌合部の隙間１３に誘導され、ドレン容器１０に貯留される。
【００６２】
このように本発明の実施の形態３の手乾燥装置によれば、水受け部５の美観を保ちつつ、水受け部５に付着した水をドレン容器１０に誘導する排水用の穴を別途設ける必要がないので、その分のコストを削減することができることとなる。また、２部品の水受け底部５ａと水受けかえり部５ｂの嵌合部は初めから隙間がある構造となるため、設計が容易で製造上のバラツキもこの部分で吸収できる。
【００６３】
（実施の形態４）
図５に示すように、水受け部５に排水口９（図示せず）への排水を促すよう溝１４を設け構成する。
【００６４】
上記構成により、水受け部５に付着した水が溝１４に流れ込み、排水口９に誘導され、ドレン容器１０に貯留される。溝１４は多数設けてもよい。
【００６５】
このように本発明の実施の形態４の手乾燥装置によれば、水受け部５に付着した水をドレン容器１０に確実に誘導でき、かつ、水が水受け部５の縁を越えて飛散するのを防止できるので、水受け部５の美観を保つことができることとなる。
【００６６】
（実施の形態５）
図６に示すように、水受け部５に、排水を促すようガイド１５を設け構成する。
【００６７】
上記構成により、水受け部５に付着した水は、排水用の溝のガイド１５に沿って２部品の水受け底部５ａと水受けかえり部５ｂの嵌合部に誘導され、ドレン容器１０に貯留される。
【００６８】
このように本発明の実施の形態５の手乾燥装置によれば、水受け部５の水滴がガイド１５に沿ってスムーズに排水され、ドレン容器１０に確実に誘導されるので、水受け部５の美観を保つことができることとなる。
【００６９】
（実施の形態６）
図７に示すように、水受け部５の水受け前面部５ｄに嵌合線が現れない構成とする。
【００７０】
このように本発明の実施の形態６の手乾燥装置によれば、外観に現われる嵌合線が少なくなるためデザイン的にも一体感があり、水受け部５の正面の美観を保つことができることとなる。
【００７１】
（実施の形態７）
図８に示すように、水受け部５を構成する２部品である水受け底部５ａと水受けかえり部５ｂのうち、水受けかえり部５ｂを取り外しできるようにし、水受けかえり部５ｂに排水する水を貯留するドレン容器１０を設けている。
【００７２】
そして、図９および図１０に示すように、ドレン容器１０は、正面視、すなわち、手を乾燥するために立つ側から見て、水受けかえり部５ｂに覆われるように水受けかえり部５ｂの後方に一体的に配設されている。したがって、正面側からはドレン容器１０がほとんど見えず、水受け部５まわりは水受け部５の形状、色によってデザインを決めることができ、一方、ドレン容器１０は、水受け部５の色との調和にとらわれず、貯留水の水位が外方から見て確認できる透明あるいは半透明の材料を選択することができる。
【００７３】
そして、ドレン容器１０を水受けかえり部５ｂの後方に配置してもドレン容器１０の貯留水水位が確認できるように、水受けかえり部５ｂの水受け前面部５ｄに開口窓１７を設けている。
【００７４】
また、図１１および図１２に示すように、ドレン容器１０の下面に凹部１０ａを設け、ドレン容器１０を水受けかえり部５ｂと一体となった状態で水受け底部５ａに装着するとき、凹部１０ａが水受け底部５ａの下部に設けた係合片５ｆと係合する。ドレン容器１０と一体となった水受けかえり部５ｂはこの箇所での係合によって、ノズル２から噴出される空気による風圧を受ける方向の水受け底部５ａの下部で係合しているので、水受け底部５ａと水受けかえり部５ｂとの間に隙間が開くことがなくなる。
【００７５】
上記構成により、手を乾燥する際飛び散った水は２部品で構成された水受け部５に付着し、水受け部５に付着した水はドレン容器１０に貯留される。水受け部５に汚れがついてきて清掃する場合は、水受け前面部５ｄを手で引っ張り、ドレン容器１０ごと取り外す。ドレン容器１０は洗面所にて水受けかえり部５ｂとともに丸洗いできる。水受け底部５ａは、布などで容易にふくことができ、２部品の水受け底部５ａと水受けかえり部５ｂの間に溜まった水垢などの汚れも容易にふき取ることが可能である。
【００７６】
また、水受けかえり部５ｂにドレン容器１０の貯留水水位を視認させる開口窓１７を設けているので、水受けかえり部５ｂの一部に色の異なるドレン容器１０が現れ、貯留水水位が目立つようにになり、貯留水の廃棄の注意を喚起し、水受け部５の清掃の時期を遅らせてしまうことがないようにして、水受け部５の美観を確実に保つことができることとなる。
【００７７】
このように本発明の実施の形態７の手乾燥装置によれば、ドレン容器１０に貯留した水を廃棄する際に水受け部５を清掃することができ、さらに、水受け部５の清掃をし忘れることがなく、水受け部５の美観を保つことができることとなる。
【００７８】
（実施の形態８）
図１３および図１４に示すように、正面視、ドレン容器１０が水受けかえり部５ｂに覆われるように後方に配設されるとともに、ドレン容器１０と水受けかえり部５ｂを着脱自在に係合する構成とし、この係合部１８を水受け側面部５ｅおよびドレン容器１０の側面より内方に設けている。
【００７９】
この構成により、ドレン容器１０と水受けかえり部５ｂとの係合部１８も含めて、正面視、ドレン容器１０は水受けかえり部５ｂに覆われてほとんど見えなく、水受け部５まわりの一体感が増すこととなる。
【００８０】
そして、水受けかえり部５ｂの後方に配設されたドレン容器１０に貯留した貯留水の水位を視認させるために、水受け前面部５ｄに開口窓１７を設け、ドレン容器１０の前面には開口窓１７に嵌合する大きさで、前方に突出した水位表示部１９を設けている。
【００８１】
また、ドレン容器１０は、水受けかえり部５ｂの色との調和にとらわれることなく、外方から貯留水の水位を視認できることを主体に材料を選択すればよいので、水位表示部１９だけを半透明等の色とせずに、水位表示部１９を含めて全体を半透明等の色の樹脂材料で一体成形している。したがって、水位表示部１９だけを半透明等の色にして製作し、ドレン容器１０に接着等によって一体化したものに比べて強度が向上する。
【００８２】
上記構成において、ドレン容器１０を水受けかえり部５ｂに装着するとき、ドレン容器１０の突出した水位表示部１９を水受けかえり部５ｂの開口窓１７に嵌合させながら装着する。このとき、水位表示部１９が位置決めとなって組立構造が安定し、また、水位表示部１９を突出させて形成することにより、ドレン容器１０の強度が向上する。さらに、水位表示部１９の突出高さを開口窓１７が形成された水受け前面部５ｄの板厚と同一にすることによって、水位表示部１９と水受け前面部５ｄとを面一にすることができ、一体感が増す。
【００８３】
このように本発明の実施の形態８の手乾燥装置によれば、水受け部５まわりの美観が向上し、また、ドレン容器１０の強度が向上することとなる。
【００８４】
（実施の形態９）
ドレン容器１０に貯留した水を廃棄するときは、親指を水受け前面部５ｄにかけ、他の指をドレン容器１０の下面に形成した凹部２０に差し込み、図１５に示すように手元側である水受け前面部５ｄ側が低くなる状態に傾けて持ち運ぶと、ドレン容器１０内の貯留水がほとんど波立つことなく安定した状態で持ち運ぶことができる。
【００８５】
そこで、本実施の形態９では、ドレン容器１０を形成する側壁のうち、前方側の側壁１０ｂの高さを他の側壁の高さより高くしている。
【００８６】
また、ドレン容器１０を水受けかえり部５ｂに装着した状態で、水受けかえり部５ｂの水受け内面部５ｃがドレン容器１０の前方側上方を覆うように構成している。
【００８７】
上記構成における水受けかえり部５ｂに装着されたドレン容器１０を、貯留された水を廃棄するために手元側が低くなるように傾けて運ぶとき、ドレン容器１０の前方側の側壁１０ｂは他の側壁より高さが高く形成されているので、手元側が低くなるように傾けても貯留水がこぼれにくくなる。
【００８８】
また、持ち運ぶとき、何らかの要因で貯留水が多少波立っても、水受け内面部５ｃによって水跳ねを抑えることができ、貯留水をこぼさずに廃棄することができる。
【００８９】
このように本発明の実施の形態９の手乾燥装置によれば、ドレン容器１０に貯留した水を安定した状態でこぼさずに持ち運んで廃棄することができ、手乾燥装置を設置した場所を汚すことなく使用することができることとなる。
【００９０】
（実施の形態１０）
本実施の形態１０は、実施の形態９と同様の目的で設けられた図１６に示す筒部２１に特徴がある。
【００９１】
筒部２１は、ドレン容器１０に貯留した水が所定量に達したとき、所定量を超えた分だけ少しずつ下方に滴下させるために、ドレン容器１０の底面に上方に向けて突設したもので、上端面２１ａを前方側が高くなるように傾斜させている。傾斜した上端面２１ａのもっとも低い後方側の高さは、貯留水が排水滴下される所定量に達したときの喫水線のレベルとなる。
【００９２】
上記構成における水受けかえり部５ｂに装着された（図示せず）ドレン容器１０を、貯留した水を廃棄するために、実施の形態９と同様に手元側が低くなるように傾けて持ち運ぶとき、筒部２１の上端面２１ａは前方側が高くなるように傾斜しているので、手元側が低くなるように傾けても貯留水がこぼれにくくなる。
【００９３】
このように本発明の実施の形態１０の手乾燥装置によれば、ドレン容器１０に貯留した水を安定した状態でこぼさずに持ち運んで廃棄することができ、手乾燥装置を設置した場所を汚すことなく使用することができることとなる。
【産業上の利用可能性】
【００９４】
本発明の手乾燥装置は、レストランやホテルなどの洗面所やトイレに設置され、また病院や手術室や調理場においても適用される。
【図面の簡単な説明】
【００９５】
【図１】本発明の実施の形態１の手乾燥装置を示す側断面図
【図２】同手乾燥装置の斜視図
【図３】本発明の実施の形態２の手乾燥装を示すの側断面図
【図４】本発明の実施の形態３の手乾燥装置の水受け部まわりの上面図
【図５】本発明の実施の形態４の手乾燥装置の水受け部まわりの上面図
【図６】本発明の実施の形態５の手乾燥装置を示す側断面図
【図７】本発明の実施の形態６の手乾燥装置を示す正面図
【図８】本発明の実施の形態７の手乾燥装置を示す側断面図
【図９】同手乾燥装置の水受け部の正面図
【図１０】同手乾燥装置の下面図
【図１１】同手乾燥装置のドレン容器の下面図
【図１２】同手乾燥装置の水受け部およびドレン容器の下面図
【図１３】本発明の実施の形態８の手乾燥装置におけるドレン容器の水受けかえり部への装着時の斜視図
【図１４】同手乾燥装置におけるドレン容器の水受けかえり部からの取り外し時の斜視図
【図１５】本発明の実施の形態９の手乾燥装置におけるドレン容器の水受けかえり部への装着時の断面斜視図
【図１６】本発明の実施の形態１０の手乾燥装置におけるドレン容器の断面斜視図
【図１７】従来の手乾燥装置の側断面図
【符号の説明】
【００９６】
１      乾燥室
２      ノズル
５      水受け部
５ａ    水受け底部
５ｂ    水受けかえり部
５ｄ    水受け前面部
５ｆ    係合片
７      ファンモータ
８      はめ込み構造
９      排水口
１０    ドレン容器
１０ａ  凹部
１０ｂ  前方側の側壁
１２    傾斜面
１３    隙間
１４    溝
１５    ガイド
１７    開口窓
１８    係合部
１９    水位表示部
２１    筒部
２１ａ  上端面
【図１】
2008200474.tif 000003
【図２】
2008200474.tif 000004
【図３】
2008200474.tif 000005
【図４】
2008200474.tif 000006
【図５】
2008200474.tif 000007
【図６】
2008200474.tif 000008
【図７】
2008200474.tif 000009
【図８】
2008200474.tif 000010
【図９】
2008200474.tif 000011
【図１０】
2008200474.tif 000012
【図１１】
2008200474.tif 000013
【図１２】
2008200474.tif 000014
【図１３】
2008200474.tif 000015
【図１４】
2008200474.tif 000016
【図１５】
2008200474.tif 000017
【図１６】
2008200474.tif 000018
【図１７】
2008200474.tif 000019
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
外部に向かって開口した挿入口から手を抜き差しできる乾燥室と、前記乾燥室の底部の水受け部に向けて空気を送出するノズルと、前記ノズルから空気を送出するファンモータとを備え、前記水受け部は２部品により構成され、そのうち少なくとも１部品を取り外しできる構成とした手乾燥装置であって、前記水受け部は２部品を嵌合して構成され、その嵌合部が隙間を形成し排水口となることを特徴とする手乾燥装置。
【請求項２】
水受け部に、排水を促すよう排水口に通じる溝を設けたことを特徴とする請求項１記載の手乾燥装置。
【請求項３】
水受け部に、排水を促すようドレン容器への排水のガイドを設けたことを特徴とする請求項１または２記載の手乾燥装置。
【請求項４】
水受け部の２部品を嵌合する嵌合線が、正面側に現れない構成としたことを特徴とする請求項１〜３のいずれかに記載の手乾燥装置。
【請求項５】
水受け部の２部品の材質が同じ樹脂材料であることを特徴とする請求項１〜４のいずれかに記載の手乾燥装置。
【請求項６】
水受け部の取り外しする部品に排水する水を貯留するドレン容器を設けたことを特徴とする請求項１〜３のいずれかに記載の手乾燥装置。
【請求項７】
水受け部は、水受け底部と水受けかえり部とからなる２部品により構成されることを特徴とする請求項６記載の手乾燥装置。
【請求項８】
水受け底部と水受けかえり部は、これらの側面にてはめ込み構造あるいは爪構造によって係止される構成としたことを特徴とする請求項７記載の手乾燥装置。
【請求項９】
水受けかえり部を取り外しする部品とし、ドレン容器は、正面視、水受けかえり部によって覆われるように前記水受けかえり部の後方に一体的に配設されることを特徴とする請求項７または８に記載の手乾燥装置。
【請求項１０】
ドレン容器と水受けかえり部とを着脱自在に係合する構成とし、この係合部を前記ドレン容器と前記水受けかえり部の側面より内方に設けたことを特徴とする請求項９に記載の手乾燥装置。
【請求項１１】
ドレン容器の下面に凹部を設け、この凹部が水受け低部とその下部で係合する構成としたことを特徴とする請求項９に記載の手乾燥装置。
【請求項１２】
ドレン容器を形成する側壁のうち、前方側の側壁の高さを他の側壁の高さより高くしたことを特徴とする請求項９に記載の手乾燥装置。
【請求項１３】
ドレン容器を水受けかえり部に装着した状態で、前記水受けかえり部が前記ドレン容器の前方側上方を覆う構成としたことを特徴とする請求項９に記載の手乾燥装置。
【請求項１４】
ドレン容器の底面に貯留水を下方に排水する筒部を上方に向けて突設し、前記筒部の上端面を前方側が高くなるように傾斜させたことを特徴とする請求項９に記載の手乾燥装置。
【請求項１５】
水受けかえり部の正面側を構成する水受け前面部にドレン容器の貯留水水位を視認させる開口窓を設けたことを特徴とする請求項９〜１４のいずれかに記載の手乾燥装置。
【請求項１６】
ドレン容器に形成する水位表示部を突出させて設け、前記突出した水位表示部を水受け前面部の開口窓に嵌合させて、前記ドレン容器を水受けかえり部に装着する構成としたことを特徴とする請求項１５に記載の手乾燥装置。
【請求項１７】
突出させて設ける水位表示部をドレン容器と一体成形したことを特徴とする請求項１６に記載の手乾燥装置。
【手続補正２】
【補正対象書類名】明細書
【補正対象項目名】００３０
【補正方法】削除
【補正の内容】
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】変更
【補正の内容】
【００３２】
また、請求項１に記載の手乾燥装置は、外部に向かって開口した挿入口から手を抜き差しできる乾燥室と、前記乾燥室の底部の水受け部に向けて空気を送出するノズルと、前記ノズルから空気を送出するファンモータとを備え、前記水受け部は２部品により構成され、そのうち少なくとも１部品を取り外しできる構成とした手乾燥装置であって、前記水受け部は２部品を嵌合して構成され、その嵌合部が隙間を形成し排水口となるものであり、水受け部に付着した水が２部品の嵌合部の隙間に誘導されてドレン容器にスムーズに貯留され、また、ドレン容器への排水口を別個に設ける必要がなくなる。
【手続補正５】
【補正対象書類名】明細書
【補正対象項目名】００３３
【補正方法】変更
【補正の内容】
【００３３】
また、請求項２に記載の手乾燥装置は、水受け部に、排水を促すよう排水口に通じる溝を設けたものであり、水受け部に付着した水が溝に流れ込んで排水口に誘導され、ドレン容器にスムーズに貯留される。
【手続補正６】
【補正対象書類名】明細書
【補正対象項目名】００３４
【補正方法】変更
【補正の内容】
【００３４】
また、請求項３に記載の手乾燥装置は、水受け部に、排水を促すようドレン容器への排水のガイドを設けたものであり、水受け部に付着した水が排水のガイドに沿って誘導され、ドレン容器にスムーズに貯留される。
【手続補正７】
【補正対象書類名】明細書
【補正対象項目名】００３５
【補正方法】変更
【補正の内容】
【００３５】
また、請求項４に記載の手乾燥装置は、水受け部の２部品を嵌合する嵌合線が、正面側に現れない構成としたものであり、手を乾燥するために立つ正面側から見た美観が向上することとなる。
【手続補正８】
【補正対象書類名】明細書
【補正対象項目名】００３６
【補正方法】変更
【補正の内容】
【００３６】
また、請求項５に記載の手乾燥装置は、水受け部の２部品の材質が同じ樹脂材料であるものであり、２部品の成形品は樹脂の収縮率が同じように成形され、嵌合部等の精度が良いので大きな溝ができず、嵌合部に汚れがたまりにくいとともに、清掃がしやすくなる。
【手続補正９】
【補正対象書類名】明細書
【補正対象項目名】００３７
【補正方法】変更
【補正の内容】
【００３７】
また、請求項６に記載の手乾燥装置は、水受け部の取り外しする部品に排水する水を貯留するドレン容器を設けたものであり、ドレン容器の貯留水を廃棄するときに、併せて水受け部の清掃ができることとなる。
【手続補正１０】
【補正対象書類名】明細書
【補正対象項目名】００３８
【補正方法】変更
【補正の内容】
【００３８】
また、請求項７に記載の手乾燥装置は、水受け部は、水受け底部と水受けかえり部とからなる２部品により構成されるものであり、手を乾燥する際、飛び散った水は、２部品で構成され容易に取り外せる水受け底部と水受けかえり部に付着し、清掃が容易になる。
【手続補正１１】
【補正対象書類名】明細書
【補正対象項目名】００３９
【補正方法】変更
【補正の内容】
【００３９】
また、請求項８に記載の手乾燥装置は、水受け底部と水受けかえり部は、これらの側面にてはめ込み構造あるいは爪構造によって係止される構成としたものであり、手で容易に取り外しができることとなる。
【手続補正１２】
【補正対象書類名】明細書
【補正対象項目名】００４０
【補正方法】変更
【補正の内容】
【００４０】
また、請求項９に記載の手乾燥装置は、水受けかえり部を取り外しする部品とし、ドレン容器は、正面視、水受けかえり部によって覆われるように前記水受けかえり部の後方に一体的に配設されるものであり、ドレン容器は手を乾燥するために立つ正面側から見えず、水受け部まわりの美観が向上するとともに、ドレン容器の材質を水受け部の色との調和にとらわれずに、ドレン容器として適切な材料色を選択することができる。
【手続補正１３】
【補正対象書類名】明細書
【補正対象項目名】００４１
【補正方法】変更
【補正の内容】
【００４１】
また、請求項１０に記載の手乾燥装置は、ドレン容器と水受けかえり部とを着脱自在に係合する構成とし、この係合部を前記ドレン容器と前記水受けかえり部の側面より内方に設けたものであり、ドレン容器と水かえり部との係合部も、正面視、水受けかえり部によって覆われるようになるので、ドレン容器を着脱する構成にしても、水受け部まわりの美観の向上が維持されることとなる。
【手続補正１４】
【補正対象書類名】明細書
【補正対象項目名】００４２
【補正方法】変更
【補正の内容】
【００４２】
また、請求項１１に記載の手乾燥装置は、ドレン容器の下面に凹部を設け、この凹部が水受け低部とその下部で係合する構成としたものであり、ノズルから噴出される空気による風圧を受ける方向の底部で係合しているので、水受けかえり部と水受け底部との間に隙間が開くことがなくなる。
【手続補正１５】
【補正対象書類名】明細書
【補正対象項目名】００４３
【補正方法】変更
【補正の内容】
【００４３】
また、請求項１２に記載の手乾燥装置は、ドレン容器を形成する側壁のうち、前方側の側壁の高さを他の側壁の高さより高くしたものであり、ドレン容器に貯留した水を廃棄するために持ち運ぶ際、持ち運びやすい安定した状態の手元側を低くした状態にしても、前方側の側壁が高いので水がこぼれにくくなる。
【手続補正１６】
【補正対象書類名】明細書
【補正対象項目名】００４４
【補正方法】変更
【補正の内容】
【００４４】
また、請求項１３に記載の手乾燥装置は、ドレン容器を水受けかえり部に装着した状態で、前記水受けかえり部が前記ドレン容器の前方側上方を覆う構成としたものであり、ドレン容器に貯留した水を廃棄するために、持ち運びやすい安定した状態の手元側を低くした状態で運んだ際、多少水が波打っても、水受けかえり部によって水跳ねを抑えることができる。
【手続補正１７】
【補正対象書類名】明細書
【補正対象項目名】００４５
【補正方法】変更
【補正の内容】
【００４５】
また、請求項１４に記載の手乾燥装置は、ドレン容器の底面に貯留水を下方に排水する筒部を上方に向けて突設し、前記筒部の上端面を前方側が高くなるように傾斜させたものであり、ドレン容器に貯留した水を廃棄するために持ち運ぶ際、持ち運びやすい安定した状態の手元側を低くした状態にしても、筒部の上端面は前方側が高くなるように傾斜しているので、水がこぼれにくくなる。
【手続補正１８】
【補正対象書類名】明細書
【補正対象項目名】００４６
【補正方法】変更
【補正の内容】
【００４６】
また、請求項１５に記載の手乾燥装置は、水受けかえり部の正面側を構成する水受け前面部にドレン容器の貯留水水位を視認させる開口窓を設けたものであり、ドレン容器は水受けかえり部の後方に配設しても、貯留水位を視認させるようにして貯留水の廃棄の注意を喚起し、水受け部の清掃の時期を遅らせてしまうことがないようにして、水受け部の美観を確実に保つことができる。
【手続補正１９】
【補正対象書類名】明細書
【補正対象項目名】００４７
【補正方法】変更
【補正の内容】
【００４７】
また、請求項１６に記載の手乾燥装置は、ドレン容器に形成する水位表示部を突出させて設け、前記突出した水位表示部を水受け前面部の開口窓に嵌合させて、前記ドレン容器を水受けかえり部に装着する構成としたものであり、水位表示部と水受け前面部とを面一にすることができるとともに、水位表示部がドレン容器を水受けかえり部に装着するときの位置決めとなって組立構造が安定し、水受けかえり部まわりの美観が向上し、また、水位表示部を突出さて形成させることによりドレン容器の強度が上がることとなる。
【手続補正２０】
【補正対象書類名】明細書
【補正対象項目名】００４８
【補正方法】変更
【補正の内容】
【００４８】
また、請求項１７に記載の手乾燥装置は、突出させて設ける水位表示部をドレン容器と一体成形したものであり、ドレン容器を水受けかえり部と同種の色とする必要がないので、水位を表示ための色の材料で一体成形でき、加工工数が低減するとともに、強度が向上することとなる。